(57)【要約】【課題】所望のメディアがどの場所に保管されているのかをユーザが判別することが可能なメディア収納管理装置およびメディア収納管理システムを提供する。【解決手段】このＰＣ本体（メディア収納管理装置）１は、メディアのデータを読み取るためのＣＤ／ＤＶＤドライブ８と、ＣＤ／ＤＶＤドライブ８により読み取られたメディアに関するデータ（メディア情報）と、予め設定されたメディアを収納するための収納部に関する情報（収納部情報）とに基づいて、収納部にメディアがグループ分けして配置されるようにメディアの配置位置を決定する制御部７とを備える。【選択図】図２３
2011003244.tif 000002
【特許請求の範囲】
【請求項１】
メディアのデータを読み取るためのメディア読取部と、
前記メディア読取部により読み取られた前記メディアに関するデータと、予め設定された前記メディアを収納するための収納部に関する情報とに基づいて、前記収納部に前記メディアがグループ分けして配置されるように前記メディアの配置位置を決定する制御部とを備える、メディア収納管理装置。
【請求項２】
前記制御部は、前記メディアに関するデータに基づいて、前記メディアを第１カテゴリにより所定のグループに分類するとともに、前記第１カテゴリにより分類されたグループを第２カテゴリによりさらに細分類し、その細分類結果と、予め設定された前記メディアを収納するための前記収納部に関する情報とに基づいて、前記収納部における前記メディアの配置位置を決定するように構成されている、請求項１に記載のメディア収納管理装置。
【請求項３】
前記制御部は、前記メディア読取部により読み取られた前記メディアに関するデータを外部のデータベースから取得可能に構成されている、請求項１または２に記載のメディア収納管理装置。
【請求項４】
前記制御部により決定された前記メディアの配置位置に関する情報を記憶させる記憶部をさらに備える、請求項１〜３のいずれか１項に記載のメディア収納管理装置。
【請求項５】
前記メディア読取部により読み取られた前記メディアに関するデータを外部のデータベースから取得不可能な場合に、ユーザにより入力された前記メディアに関するデータを受け付けるためのメディアデータ受付手段をさらに備え、
前記制御部は、前記メディアデータ受付手段により、ユーザにより入力された前記メディアに関するデータを受け付けた場合に、ユーザにより入力された前記メディアに関するデータを前記記憶部に記憶させるように構成されている、請求項４に記載のメディア収納管理装置。
【請求項６】
ユーザにより入力された前記メディアを収納するための前記収納部に関する情報を受け付けるための収納部情報受付手段をさらに備え、
前記制御部は、前記収納部情報受付手段により、ユーザにより入力された前記メディアを収納するための前記収納部に関する情報を受け付けた場合には、ユーザにより入力された前記メディアの前記収納部に関する情報を予め前記記憶部に記憶させて設定するように構成されている、請求項４または５に記載のメディア収納管理装置。
【請求項７】
前記収納部に関する情報の変更を受け付けるための収納部情報変更受付手段をさらに備え、
前記制御部は、前記収納部情報変更受付手段により、前記メディアの前記収納部に関する情報のユーザによる変更を受け付けた場合には、ユーザにより変更された前記メディアの前記収納部に関する情報を前記記憶部に記憶させるように構成されている、請求項４〜６のいずれか１項に記載のメディア収納管理装置。
【請求項８】
前記制御部により決定された前記メディアの配置位置を表示するための表示部をさらに備える、請求項１〜７のいずれか１項に記載のメディア収納管理装置。
【請求項９】
表示部と、
前記制御部により決定された前記メディアの配置位置の検索を受け付ける検索受付手段とをさらに備え、
前記制御部は、前記検索受付手段により、ユーザから前記メディアの配置位置の検索を受け付けた場合には、前記メディアに関するデータおよび前記メディアの配置位置に関する情報に基づいて前記メディアの配置位置の検索を行い、その後、検索結果として前記メディアを規定する名称と、前記メディアの配置位置とを前記表示部に表示させるように構成されている、請求項１〜８のいずれか１項に記載のメディア収納管理装置。
【請求項１０】
情報を表示するための表示部と、
ディスクメディアを読み取るとともに前記ディスクメディアのデータを再生するためのディスクメディア読取再生部と、前記ディスクメディア読取再生部により読み取られた前記ディスクメディアに関するデータと予め設定された前記ディスクメディアを収納するための収納部に関する情報とに基づいて前記収納部に前記ディスクメディアがグループ分けして配置されるように前記メディアの配置位置を決定する制御部とを含む、ディスク再生装置とを備える、メディア収納管理システム。
【発明の詳細な説明】
【技術分野】
【０００１】
この発明は、メディア収納管理装置およびメディア収納管理システムに関し、特に、メディアのデータを読み取るためのメディア読取部を備えたメディア収納管理装置およびメディア収納管理システムに関する。
【背景技術】
【０００２】
従来、メディアのデータを読み取るためのメディア読取部を備えたメディア収納管理装置およびメディア収納管理システムが知られている（たとえば、特許文献１〜４参照）。
【０００３】
上記特許文献１には、ＣＤ（メディア）を再生するためのＣＤプレイヤ（メディア読取部）と、ＣＤプレイヤにより再生された音楽データを記憶させるためのハードディスクと、ＣＤを保管するための棚とを備えた音楽データ管理装置（メディア収納管理装置）が開示されている。この音楽データ管理装置では、使用頻度が低いＣＤは、棚に保管されている。また、使用頻度は低いが、使用する可能性の高いＣＤは、ＣＤプレイヤなどの再生装置に装填した状態で保管されている。また、使用頻度の高いＣＤは、音楽データとしてハードディスクなどの記憶装置に記憶されている。このように、ＣＤは、使用頻度に応じて、保管場所に保管されている。
【０００４】
また、上記特許文献２には、メディアのデータの読み出しを行うメディアドライブ（メディア読取部）と、メディアドライブにより読み出されたメディアを搬送する搬送路と、搬送されたメディアを保管する保管用スタッカとを備えたメディア処理装置（メディア収納管理装置）が開示されている。このメディア処理装置では、保管用スタッカに搬送されたメディアは、搬送された順に積み上げられて保管されている。
【０００５】
また、上記特許文献３には、コンテンツが記録された複数のテープ（メディア）と、テープを保管する保管棚と、保管棚の場所情報が含まれる場所バーコードと、テープに貼り付けられたテープバーコードと、場所バーコードおよびテープバーコードを読み取るためのバーコードリーダ（メディア読取部）とを備えたライブラリ管理装置（メディア収納管理装置）が開示されている。このライブラリ管理装置では、テープを所定の保管棚に収納する際に、バーコードリーダにより場所バーコードおよびテープバーコードの読み取りを行い、テープが所定の保管棚に保管される。
【０００６】
また、上記特許文献４には、ＤＶＤ−Ｒ（メディア）と、ＤＶＤデータ作成装置（メディア読取部）と、ＤＶＤライブラリとを備えた光ディスクの登録データ作成装置（メディア収納管理装置）が開示されている。この光ディスクの登録データ作成装置では、ＤＶＤデータ作成装置においてＤＶＤ−Ｒにデータが書き込まれ、データが書き込まれたＤＶＤ−Ｒは、ＤＶＤライブラリにおいて保管されるように構成されている。
【先行技術文献】
【特許文献】
【０００７】
【特許文献１】特開平１０−２０８４４５号公報
【特許文献２】特開２００７−２１３７８１号公報
【特許文献３】特開２００２−３０４８７１号公報
【特許文献４】特開２０００−２２２８６１号公報
【発明の概要】
【発明が解決しようとする課題】
【０００８】
しかしながら、上記特許文献１に記載の音楽データ管理装置では、使用頻度に応じて、保管場所に保管されているため、所望のＣＤが棚、ＣＤプレイヤおよびハードディスクのうちのどの保管場所に保管されているのかをユーザが判別するのが困難であるという問題点がある。
【０００９】
また、上記特許文献２〜４に記載のメディア収納管理装置では、メディアが、所定の基準に沿って収納部に収納されているわけではないので、所望のメディアがどの場所に保管されているのかをユーザが判別するのが困難であるという問題点がある。
【００１０】
この発明は、上記のような課題を解決するためになされたものであり、この発明の１つの目的は、所望のメディアがどの場所に保管されているのかをユーザが判別することが可能なメディア収納管理装置およびメディア収納管理システムを提供することである。
【課題を解決するための手段および発明の効果】
【００１１】
この発明の第１の局面によるメディア収納管理装置は、メディアのデータを読み取るためのメディア読取部と、メディア読取部により読み取られたメディアに関するデータと、予め設定されたメディアを収納するための収納部に関する情報とに基づいて、収納部にメディアがグループ分けして配置されるようにメディアの配置位置を決定する制御部とを備える。
【００１２】
この第１の局面によるメディア収納管理装置では、上記のように、制御部が、メディア読取部により読み取られたメディアに関するデータと、予め設定されたメディアを収納するための収納部に関する情報とに基づいて、収納部にメディアがグループ分けして配置されるようにメディアの配置位置を決定する。これにより、制御部により決定されたメディアの配置位置に従って、ユーザがメディアを収納することにより、メディアがグループ（たとえば、アーティスト名、ジャンルなど）ごとに配置される。その結果、所望のメディアがどの場所に保管されているのかをユーザが決定された配置位置を検索することにより、容易に判別することができる。
【００１３】
上記第１の局面によるメディア収納管理装置において、好ましくは、制御部は、メディアに関するデータに基づいて、メディアを第１カテゴリにより所定のグループに分類するとともに、第１カテゴリにより分類されたグループを第２カテゴリによりさらに細分類し、その細分類結果と、予め設定されたメディアを収納するための収納部に関する情報とに基づいて、収納部におけるメディアの配置位置を決定するように構成されている。このように構成すれば、たとえば、メディアを第１カテゴリのみで分類する場合と比べて、メディアをより細かく分類することができるので、より細かく分類された状態でメディアの配置位置が決定される。これにより、目的のメディアおよび関連したメディア（同じアーティストや同じジャンルなど）を探しやすくすることができるので、容易に、所望のメディアを探し出すことができる。
【００１４】
上記第１の局面によるメディア収納管理装置において、好ましくは、制御部は、メディア読取部により読み取られたメディアに関するデータを外部のデータベースから取得可能に構成されている。このように構成すれば、メディアに関するデータをユーザが入力（登録）する必要がなくなるので、その分、ユーザの操作（手間）を省略することができる。
【００１５】
上記第１の局面によるメディア収納管理装置において、好ましくは、制御部により決定されたメディアの配置位置に関する情報を記憶させる記憶部をさらに備える。このように構成すれば、たとえば、記憶部に記憶されたメディアの配置位置に関する情報を読み出すことができるので、読み出したメディアの配置位置に関する情報に従って、メディアを収納部に収納することができる。
【００１６】
この場合、好ましくは、メディア読取部により読み取られたメディアに関するデータを外部のデータベースから取得不可能な場合に、ユーザにより入力されたメディアに関するデータを受け付けるためのメディアデータ受付手段をさらに備え、制御部は、メディアデータ受付手段により、ユーザにより入力されたメディアに関するデータを受け付けた場合に、ユーザにより入力されたメディアに関するデータを記憶部に記憶させるように構成されている。このように構成すれば、メディアに関するデータを外部のデータベースから取得するのが不可能な場合でも、ユーザにより、メディアに関するデータを手動で入力（登録）することができる。
【００１７】
上記記憶部を備えるメディア収納管理装置において、好ましくは、ユーザにより入力されたメディアを収納するための収納部に関する情報を受け付けるための収納部情報受付手段をさらに備え、制御部は、収納部情報受付手段により、ユーザにより入力されたメディアを収納するための収納部に関する情報を受け付けた場合には、ユーザにより入力されたメディアの収納部に関する情報を予め記憶部に記憶させて設定するように構成されている。このように構成すれば、ユーザが実際に所有する収納部の情報（段数、幅）に対応させて、メディアの配置位置の計算を行うことができる。
【００１８】
上記記憶部を備えるメディア収納管理装置において、好ましくは、収納部に関する情報の変更を受け付けるための収納部情報変更受付手段をさらに備え、制御部は、収納部情報変更受付手段により、メディアの収納部に関する情報のユーザによる変更を受け付けた場合には、ユーザにより変更されたメディアの収納部に関する情報を記憶部に記憶させるように構成されている。このように構成すれば、予め記憶させていたメディアの収納部に関する情報（名称、段数および幅など）を変更することができるので、たとえば、ユーザが間違った収納部情報を記憶させていたとしても、正しい収納部情報に変更することができる。
【００１９】
上記第１の局面によるメディア収納管理装置において、好ましくは、制御部により決定されたメディアの配置位置を表示するための表示部をさらに備える。このように構成すれば、メディアをどのように配置すればよいのかを視覚的に確認することができるので、容易に、メディアの収納を行うことができる。
【００２０】
上記第１の局面によるメディア収納管理装置において、好ましくは、表示部と、制御部により決定されたメディアの配置位置の検索を受け付ける検索受付手段とをさらに備え、制御部は、検索受付手段により、ユーザからメディアの配置位置の検索を受け付けた場合には、メディアに関するデータおよびメディアの配置位置に関する情報に基づいてメディアの配置位置の検索を行い、その後、検索結果としてメディアを規定する名称と、メディアの配置位置とを表示部に表示させるように構成されている。このように構成すれば、検索結果から所望のメディアの配置位置を視覚的に確認することができるので、容易に、所望のメディアを探し出すことができる。
【００２１】
この発明の第２の局面によるメディア収納管理システムは、情報を表示するための表示部と、ディスクメディアを読み取るとともにディスクメディアのデータを再生するためのディスクメディア読取再生部と、ディスクメディア読取再生部により読み取られたディスクメディアに関するデータと予め設定されたディスクメディアを収納するための収納部に関する情報とに基づいて収納部にディスクメディアがグループ分けして配置されるようにメディアの配置位置を決定する制御部とを含む、ディスク再生装置とを備える。
【００２２】
この第２の局面によるメディア収納管理システムでは、上記のように、制御部が、ディスクメディア読取再生部により読み取られたディスクメディアに関するデータと予め設定されたディスクメディアを収納するための収納部に関する情報とに基づいて、収納部にディスクメディアがグループ分けして配置されるようにメディアの配置位置を決定する。これにより、制御部により決定されたディスクメディアの配置位置に従って、ユーザがディスクメディアを収納部に収納することにより、ディスクメディアがグループ（たとえば、アーティスト名、ジャンルなど）ごとに配置される。その結果、所望のメディアがどの場所に保管されているのかをユーザが決定された配置位置を検索することにより、容易に判別することができる。
【図面の簡単な説明】
【００２３】
【図１】本発明の第１実施形態によるメディア収納管理システムの構成図である。
【図２】本発明の第１実施形態によるメディア収納管理システムのブロック図である。
【図３】本発明の第１実施形態による収納部に対応するアイコンの表示画面を示した図である。
【図４】本発明の第１実施形態による収納部に関する情報の確認画面を示した図である。
【図５】本発明の第１実施形態による収納部に対応するアイコンの表示画面を示した図である。
【図６】本発明の第１実施形態によるメディア情報の入力画面を示した図である。
【図７】本発明の第１実施形態によるメディア情報の確認画面を示した図である。
【図８】本発明の第１実施形態による記憶部に記憶されたメディア情報テーブルを示した図である。
【図９】本発明の第１実施形態による記憶部に記憶された収納部情報テーブルを示した図である。
【図１０】本発明の第１実施形態による記憶部に記憶された収納場所情報テーブルを示した図である。
【図１１】本発明の第１実施形態によるメディアの配置に関する条件設定確認画面を示した図である。
【図１２】本発明の第１実施形態によるメディアの指定配置の登録リストが表示された画面を示した図である。
【図１３】本発明の第１実施形態によるメディアの収納場所が表示された確認画面を示した図である。
【図１４】本発明の第１実施形態による希望の配置場所を入力する画面を示した図である。
【図１５】本発明の第１実施形態によるメディアの収納場所が表示された確認画面を示した図である。
【図１６】本発明の第１実施形態によるメディアが収納された場所を検索する検索画面を示した図である。
【図１７】本発明の第１実施形態による検索画面においてキーワード入力を行う検索画面を示した図である。
【図１８】本発明の第１実施形態によるメディアの収納場所の検索結果が表示された画面を示した図である。
【図１９】本発明の第１実施形態によるメディアの収納場所が表示された画面を示した図である。
【図２０】本発明の第１実施形態による収納部の登録を行う際の制御部の制御動作を示したフローチャートである。
【図２１】本発明の第１実施形態によるメディア情報の登録を行う際の制御部の制御動作を示したフローチャートである。
【図２２】図２１の続きのフローチャートである。
【図２３】本発明の第１実施形態による収納場所を決定する際の制御部の制御動作を示したフローチャートである。
【図２４】本発明の第１実施形態によるメディアの推奨配置を提示する際の制御部の制御動作を示したフローチャートである。
【図２５】本発明の第１実施形態によるメディアの検索を行う際の制御部の制御動作を示したフローチャートである。
【図２６】本発明の第２実施形態によるメディア収納管理システムの構成図である。
【図２７】本発明の第２実施形態によるメディア収納管理システムのブロック図である。
【発明を実施するための形態】
【００２４】
以下、本発明の実施形態を図面に基づいて説明する。
【００２５】
（第１実施形態）
まず、図１〜図１９を参照して、本発明の第１実施形態によるメディア収納管理システム１００の構成について説明する。
【００２６】
本発明の第１実施形態によるメディア収納管理システム１００は、図１に示すように、ＰＣ（Ｐｅｒｓｏｎａｌ  Ｃｏｍｐｕｔｅｒ）本体１と、ＬＣＤ（Ｌｉｑｕｉｄ  Ｃｒｙｓｔａｌ  Ｄｉｓｐｌａｙ）パネルなどの表示部２を含む、液晶テレビジョン３と、キーボード４と、マウス５と、メディア情報が蓄積されているメディア情報管理データベース６とを備えている。なお、ＰＣ本体１は、本発明の「メディア収納管理装置」の一例であり、メディア情報管理データベース６は、本発明の「データベース」の一例である。また、液晶テレビジョン３の表示部２には、図３〜図７および図１１〜図１９に示す内容（情報）が表示されるように構成されている。
【００２７】
また、ＰＣ本体１は、図２に示すように、ＰＣ本体１の制御を行うための制御部７と、ＣＤおよびＤＶＤなどのメディア（ディスクメディア）のデータを読み取るためのＣＤ／ＤＶＤドライブ８と、メディア収納管理に必要なメディア情報、収納部情報および収納場所情報などの管理データ（情報）を記憶させておくための記憶部９と、ＰＣ本体１とＰＣ本体１の外部との通信を行うための通信部１０とを備えている。なお、ＣＤ／ＤＶＤドライブ８は、本発明の「メディア読取部」の一例である。また、メディア収納管理システム１００は、メディアを収納するための収納部１１を備えている。
【００２８】
また、制御部７は、表示部２、キーボード４、マウス５、ＣＤ／ＤＶＤドライブ８、記憶部９、および、通信部１０と、それぞれ、接続されるとともに制御信号が送受信されるように構成されている。なお、通信部１０は、ＬＡＮ（Ｌｏｃａｌ  Ａｒｅａ  Ｎｅｔｗｏｒｋ）を介してインターネットに接続されており、メディア情報が蓄積されているメディア情報管理データベース６と通信可能に構成されている。ここで、第１実施形態では、制御部７は、ＣＤ／ＤＶＤドライブ８により読み取られたメディアに関するデータ（メディア情報）をメディア情報管理データベース６から通信部１０を介して自動的に取得可能に構成されている。具体的には、第１実施形態では、制御部７は、ＣＤ／ＤＶＤドライブ８により読み取られたＣＤおよびＤＶＤなどの音楽データ（情報）に対応するアーティスト名、ジャンル、サブジャンル、タイトルおよび演奏時間などのメディアに関するデータをメディア情報管理データベース６から取得して、メディア情報（図８参照）として記憶部９に記憶させるように構成されている。
【００２９】
また、第１実施形態では、記憶部９には、メディアを収納するための収納部１１に関する情報（収納部情報）（図９参照）が予め記憶されている。この収納部情報には、収納部１１の名称、収納部１１の段数および収納部１１の幅などの情報が含まれている。また、記憶部９には、制御部７により決定されたメディアの配置位置に関する情報（収納場所情報）（図１０参照）が記憶されている。
【００３０】
次に、図３〜図５、図９および図２０を参照して、第１実施形態による収納部１１の登録を行う際の制御部７の制御動作について説明する。
【００３１】
図２０に示すように、ステップＳ１０１において、図３に示す画面２ａのように、収納部１１に対応するアイコン（新規アイコン）を表示するとともに、ステップＳ１０２に進む。次に、ステップＳ１０２において、収納部１１に対応するアイコンがユーザにより選択される。そして、ステップＳ１０３に進む。
【００３２】
次に、ステップＳ１０３において、選択されたアイコン（収納部１１）の段数、幅および名称などが入力される。この場合、選択されたアイコン（収納部１１）の情報として、「太郎のＣＤラック、５段、１００ｃｍ」が入力される。そして、ステップＳ１０４に進む。
【００３３】
次に、ステップＳ１０４において、図４に示すように、入力された情報（太郎のＣＤラック、５段、１００ｃｍ）の確認画面２ｂを表示するとともに、ステップＳ１０５に進む。なお、確認画面２ｂは、本発明の「収納部情報変更受付手段」および「収納部情報受付手段」の一例である。次に、ステップＳ１０５において、入力された情報を変更すると選択されたか否かが判断される。そして、ステップＳ１０５において、第１実施形態では、収納部情報変更受付手段として、入力された情報を変更すると選択された場合には、ステップＳ１０６に進み、ステップＳ１０６において、収納部１１の入力情報の変更を行う。そして、ステップＳ１０７に進む。
【００３４】
また、ステップＳ１０５において、第１実施形態では、収納部情報受付手段として、入力された情報を変更しない（確定する）と選択した場合には、ステップＳ１０７に進む。次に、ステップＳ１０７において、ユーザにより入力された収納部情報（太郎のＣＤラック、５段、１００ｃｍ）が、図９に示すように、収納部１１の名称、段数および幅が対応付けられて記憶部９に記憶される。これにより、収納部情報が確定され、確定された収納部１１のアイコンは、図５に示す画面２ｃのように、アイコン、収納部の名称および段数が表示部２に一覧表示され、制御動作を終了する。
【００３５】
次に、図６〜図８および図２１を参照して、メディア情報の登録を行う際の制御部７の制御動作について説明する。
【００３６】
図２１に示すように、ステップＳ２０１において、ＣＤ／ＤＶＤドライブ８により、メディアのデータの読み取りが行われる。そして、ステップＳ２０２に進む。
【００３７】
次に、ステップＳ２０２において、メディアの種別が個別メディア（シリーズになっていない単数メディア）であるか否かが判断される。そして、ステップＳ２０２において、メディアの種別が個別メディアであると判断された場合には、ステップＳ２０３に進む。次に、ステップＳ２０３において、登録するメディアの種別が新規登録か否かが判断される。そして、ステップＳ２０３において、登録するメディアの種別が新規登録ではない（編集を行う）と判断された場合には、ステップＳ２０４に進む。次に、ステップＳ２０４において、編集を行おうとする記憶部９に記憶されている登録済みのメディアの選択を受け付ける。そして、ステップＳ２０５に進む。また、ステップＳ２０３において、登録するメディアの種別が新規登録であると判断された場合にも、ステップＳ２０５に進む。
【００３８】
また、ステップＳ２０５おいて、図６に示す入力画面２ｄのように、ユーザによりメディア情報（ジャンル、アーティスト、サブジャンル、タイトル、演奏時間およびケースの厚みなど）が入力可能な画面が表示される。また、ケースの厚みに関しては、後述するステップＳ２０７において、メディア情報管理データベース６から情報を取得不可能である。このため、次のステップＳ２０６において、ケースの厚みを入力することが必要である。そして、ステップＳ２０６に進む。次に、ステップＳ２０６において、第１実施形態では、メディアデータ受付手段として、ユーザにより手動で入力されたメディアの情報（ジャンル：ポップス、アーティスト：サザンカ・オールスターズ・・・）を受け付ける。なお、入力画面２ｄは、本発明の「メディアデータ受付手段」の一例である。そして、ステップＳ２０７に進む。
【００３９】
次に、ステップＳ２０７において、第１実施形態では、メディア情報管理データベース６からメディア情報（ジャンル：ポップス、アーティスト：サザンカ・オールスターズ・・・）を受信する。これにより、ＣＤ／ＤＶＤドライブ８により読み取られたメディアに関するデータ（ジャンル：ポップス、アーティスト：サザンカ・オールスターズ・・・）が取得される。そして、ステップＳ２０８に進む。
【００４０】
次に、ステップＳ２０８において、メディア情報管理データベース６からメディア情報が取得されたか否かが判断される。そして、ステップＳ２０８において、メディア情報管理データベース６からメディア情報が取得されていないと判断された場合には、ステップＳ２０９に進む。なお、メディア情報が取得されない場合とは、たとえば、取得しようとしているメディアの知名度が低い場合やメディアの製造日が古い場合である。次に、ステップＳ２０９において、図６に示す入力画面２ｄのような、ユーザによりメディア情報（ジャンル、アーティスト名、サブジャンル、タイトルおよび演奏時間など）を入力する画面が表示される。そして、ステップＳ２１０に進む。
【００４１】
次に、ステップＳ２１０において、第１実施形態では、メディアデータ受付手段として、ユーザにより手動でメディアの情報が入力される。なお、ステップＳ２０６において、ユーザにより入力された項目（ジャンル、アーティスト名、サブジャンル、タイトルおよび演奏時間など）は、メディア情報管理データベース６から取得された情報内容に更新（変更）してもよいし、情報内容を更新（変更）せずにユーザが入力した項目を残しておいてもよい。そして、ステップＳ２１１に進む。
【００４２】
また、ステップＳ２０８において、メディア情報管理データベース６からメディア情報が取得されたと判断された場合には、図２２に示すステップＳ２１１に進む。次に、ステップＳ２１１において、図７に示すような、メディアの入力情報の確認画面２ｅを表示させる。そして、ステップＳ２１２に進む。次に、ステップＳ２１２において、ユーザによりメディアの入力情報の変更が選択されたか否かが判断される。そして、ステップＳ２１２において、メディアの入力情報の変更が選択された場合には、ステップＳ２１３において、メディアの入力情報（ジャンル、アーティストなど）の内容の変更が行われる。そして、ステップＳ２１４に進む。
【００４３】
また、ステップＳ２１２において、メディアの入力情報を変更しない（確定する）と選択された場合には、ステップＳ２１４に進む。次に、ステップＳ２１４において、ユーザにより入力されたメディア情報およびメディア情報管理データベース６から取得されたメディア情報を記憶部９に記憶させる。これにより、図８に示すように、アーティスト名（サザンカ・オールスターズ）、ジャンル（ポップス）、タイトル（ベスト・オブ・ザ・ベスト２５０）などの情報が記憶部９に記憶される。そして、ステップＳ２１５に進む。次に、ステップＳ２１５において、メディアを収納する収納場所（収納部１１）を決定する制御動作を行い、制御動作を終了する。
【００４４】
また、ステップＳ２０２において、メディアの種別が個別メディアではない（シリーズになっている複数メディア）と判断された場合には、ステップＳ２１６に進む。そして、ステップＳ２１６において、複数メディアのケース数が入力される。次に、ステップＳ２１７において、複数メディアのうちの１ケース当たりの大きさ（サイズ）が入力され、ステップＳ２１８に進む。次に、ステップＳ２１８において、複数メディア（１セット）の名称が入力され。そして、ステップＳ２１１に進み、図２２に示す上記した制御動作が行われる。
【００４５】
次に、図８、図９、図１１〜図１４および図２３を参照して、メディアの収納場所を決定する際の制御部７の制御動作について説明する。
【００４６】
図２３に示すように、ステップＳ３０１において、第１実施形態では、メディアを収納場所（収納部１１）に収納するための配置位置の計算を行う。具体的には、図８に示すジャンル、アーティストなどのメディア情報と、図９に示す予め設定された収納部の名称、段数などの収納部情報（図９参照）とに基づいて、配置位置の計算が行われる。また、配置位置の計算が行われる際に、図１１に示す確認画面２ｆのように、アーティスト（サザンカ・オールスターズ）のメディアを、収納部１１（太郎のＣＤラック）に配置されるようにユーザが予め条件設定することが可能である。
【００４７】
また、第１実施形態では、図１２に示す登録リスト画面２ｇのように、ユーザが予め設定したメディアのカテゴリによってグループ分け（カテゴライズ）することも可能である。たとえば、メディア情報に基づいて、メディアを第１カテゴリ（ジャンル）により所定のグループ（ポップスやクラシックなどのグループ）に分類する。次に、第１カテゴリ（ジャンル）により分類されたグループ（ポップスやクラシックなどのグループ）を第２カテゴリ（アーティスト）によりさらに細分類（サザンカ・オールスターズ、ＥＸＯＩＬ、ベートーベン、モーツァルトなどのグループなどに細分類）する。そして、上記した分類結果と、予め設定された収納部情報（収納部の名称、段数、幅）とに基づいて、収納部１１において、メディアがサザンカ・オールスターズ、ＥＸＯＩＬ、ベートーベンおよびモーツァルトにグループ分けされて配置位置が決定される。なお、細分類したメディア（たとえば、ベートーベン、モーツァルト）を第３カテゴリ（サブジャンル）として交響曲やピアノ曲によりさらに細分類してもよい。これにより、カテゴリ毎にグループ分けされたメディアの枚数が算出される。また、収納部情報の段数や幅と、メディアの厚みとを比較することにより、各収納部１１の収納可能段数および収納可能枚数が算出される。このような算出を行うことによって、グループ分けされたメディアが同じ収納部１１に収納されるので、別々の収納部１１に収納されることや、違う段に配置されるようなことがなくなる。また、メディアを新しく購入して収納部に収納した際に、収納部からはみ出してしまうような場合でも、収納部からはみ出さないように配置位置の計算を行うことが可能である。また、各カテゴリのメディアをタイトル順に並べてもよいし、出版日順に並べてもよい。そして、ステップＳ３０２に進む。
【００４８】
次に、ステップＳ３０２において、図１３に示すように、メディアの収納場所（配置位置）の確認画面２ｈを表示し、ユーザに対して確認を行う。そして、ユーザは、決定された配置位置（太郎のＣＤラック５段の斜線部）に従って、メディアを収納部１１に配置することにより、グループ分けされた状態で配置することが可能である。そして、ステップＳ３０３に進む。次に、ステップＳ３０３において、ユーザにより、収納場所の変更が選択されたか否かが判断される。次に、ステップＳ３０３において、収納場所の変更が選択されない場合には、ステップＳ３０４に進む。
【００４９】
次に、ステップＳ３０４において、図１０に示すように、太郎のＣＤラック５段にサザンカ・オールスターズが収納されたという収納場所情報（メディアの配置位置に関する情報）を記憶部９に記憶させる。また、ステップＳ３０３において、収納場所を変更すると選択された場合には、ステップＳ３０５に進む。
【００５０】
次に、ステップＳ３０５において、図１４に示すように、収納場所情報を入力（変更）する画面２ｉを表示し、ステップＳ３０６に進む。次に、ステップＳ３０６において、ユーザにより収納場所情報（書斎のＣＤラック３段）が入力され、ステップＳ３０１に戻る。そして、ステップＳ３０１において、ユーザにより入力された変更内容に基づいて再度収納場所の計算が行われ、ユーザにより入力された書斎のＣＤラック３段に決定される。次に、上記したステップＳ３０２において、図１５に示すように、書斎のＣＤラック３段（斜線部）にメディアを配置するような確認画面２ｊが表示される。そして、ステップＳ３０３において、収納場所の変更がなければ、ステップＳ３０４において、書斎のＣＤラック３段にサザンカ・オールスターズが収納されるという収納場所情報（メディアの配置位置に関する情報）が記憶される。
【００５１】
次に、図１１、図１２、図１５および図２４を参照して、メディアの推奨配置を提示する際の制御部７の制御動作について説明する。
【００５２】
図２４に示すように、ステップＳ４０１において、図１１に示す確認画面２ｆのような、現在のメディアの配置位置の計算の条件設定を表示する。この場合、サザンカ・オールスターズは、太郎のＣＤラックに収納するという条件が予め設定されている。そして、ステップＳ４０２に進む。そして、ステップＳ４０２において、ユーザにより条件設定を変更すると選択されたか否かが判断される。そして、ステップＳ４０２において、ユーザにより条件設定を変更すると選択された場合には、ステップＳ４０３に進み、条件設定の変更が行われる。なお、条件設定が変更された場合には、次回以降に収納場所の計算が行われる際に、変更された条件が反映される。そして、ステップＳ４０４に進む。また、ステップＳ４０２において、ユーザにより条件設定を変更しないと選択された場合には、ステップＳ４０４に進む。
【００５３】
次に、ステップＳ４０４において、図１２に示す登録リスト画面２ｇのように、第１カテゴリ（ジャンル）および第２カテゴリ（アーティスト）が登録されたメディアの指定配置の登録リストを表示し、ステップＳ４０５に進む。そして、ステップＳ４０５において、ユーザにより、メディアの指定配置を変更すると選択されたか否かが判断される。そして、ステップＳ４０５において、メディアの指定配置を変更すると選択した場合には、ステップＳ４０６に進み、メディアの指定配置の変更が行われる。なお、指定配置が変更された場合には、次回以降に収納場所の計算が行われる際に、変更された条件が反映される。そして、ステップＳ４０７に進む。また、ステップＳ４０５において、メディアの指定配置を変更しないと選択した場合には、ステップＳ４０７に進む。
【００５４】
次に、ステップＳ４０７において、メディアを収納部１１に収納するための収納場所の計算を行い、ステップＳ４０８に進む。次に、ステップＳ４０８において、図１３に示す確認画面２ｈのように、メディアの収納場所の計算結果を表示し、制御動作を終了する。
【００５５】
次に、図１６、図１７、図１８、図１９および図２５を参照して、メディアの検索を行う際の制御部７の制御動作について説明する。
【００５６】
図２５に示すように、ステップＳ５０１において、図１６に示す検索画面２ｋのように、メディアの収納場所（配置位置）の検索画面を表示し、ステップＳ５０２に進む。次に、ステップＳ５０２において、第１実施形態では、検索受付手段として、ユーザにより検索情報が入力される。なお、検索画面２ｋは、本発明の「検索受付手段」の一例である。このとき、ユーザは、検索方法として、棚（収納部１１）から一覧表示するか、または、キーワードを入力することにより所望のメディアを検索するかを選択することが可能である。そして、キーワードを入力することにより検索する場合には、図１７に示す検索画面２ｌにおいて、キーワード（サザンカ・オールスターズ）を入力する。そして、ステップＳ５０３に進む。
【００５７】
次に、ステップＳ５０３において、メディアの配置場所の検索が行われる。このとき、記憶部９に記憶されているメディアの収納場所情報（メディアの配置位置に関する情報）に基づいて、メディアの配置位置の検索が行われる。そして、ステップＳ５０４に進む。
【００５８】
次に、ステップＳ５０４において、図１８に示す検索結果画面２ｍのように、メディアの収納場所の検索結果の一覧を表示する。このとき、ユーザにより検索結果の一覧から表示されているメディアを選択することにより、図１９に示す画面２ｏのように、メディアの名称（サザンカ・オールスターズ）と、メディアの配置位置（太郎のＣＤラック５段）とが表示される。そして、ユーザは、太郎のＣＤラック５段から、サザンカ・オールスターズのメディアを容易に探し出すことが可能である。これにより、制御動作を終了する。
【００５９】
第１実施形態では、上記のように、制御部７が、ＣＤ／ＤＶＤドライブ８により読み取られたメディアに関するデータと、予め設定されたメディアを収納するための収納部１１に関する情報とに基づいて、収納部１１にメディアがグループ分けして配置されるようにメディアの配置位置を決定する。これにより、制御部７により決定されたメディアの配置位置に従って、ユーザがメディアを収納部１１に収納することにより、メディアがグループ（アーティスト名、ジャンルなど）ごとに配置される。その結果、所望のメディアがどの場所に保管されているのかをユーザが決定された配置位置を検索することにより、容易に判別することができる。
【００６０】
また、第１実施形態では、上記のように、制御部７が、メディアに関するデータ（メディア情報）に基づいて、メディアを第１カテゴリ（ジャンル）により所定のグループに分類するとともに、第１カテゴリ（ジャンル）により分類されたグループを第２カテゴリ（アーティスト）によりさらに細分類し、その細分類結果と、予め設定されたメディアを収納するための収納部１１に関する情報（収納部情報）とに基づいて、収納部１１におけるメディアの配置位置を決定する。これにより、たとえば、メディアを第１カテゴリ（ジャンル）のみで分類する場合と比べて、メディアをより細かく分類することができるので、より細かく分類された状態でメディアの配置位置が決定される。これにより、目的のメディアおよび関連したメディア（同じアーティストや同じジャンルなど）を探しやすくすることができるので、容易に、所望のメディアを探し出すことができる。
【００６１】
また、第１実施形態では、上記のように、制御部７が、ＣＤ／ＤＶＤドライブ８により読み取られたメディアに関するデータ（メディア情報）をメディア情報管理データベース６から取得可能にすることによって、メディアに関するデータ（メディア情報）をユーザが入力（登録）する必要がなくなるので、その分、ユーザの操作（手間）を省略することができる。
【００６２】
また、第１実施形態では、上記のように、制御部７により決定されたメディアの配置位置に関する情報（収納場所情報）を記憶させる記憶部９をさらに備えることによって、記憶部９に記憶されたメディアの配置位置に関する情報（収納場所情報）を読み出すことができるので、読み出したメディアの配置位置に関する情報（収納場所情報）に従って、メディアを収納部１１に収納することができる。
【００６３】
また、第１実施形態では、上記のように、制御部７が、メディアデータ受付手段により、ユーザにより入力されたメディアに関するデータ（メディア情報）を受け付けた場合に、ユーザにより入力されたメディアに関するデータ（メディア情報）を記憶部９に記憶させる。これにより、メディアに関するデータ（メディア情報）をメディア情報管理データベース６から取得するのが不可能な場合でも、ユーザによりメディアに関するデータ（メディア情報）を手動で入力することができる。
【００６４】
また、第１実施形態では、上記のように、制御部７が、収納部情報受付手段により、ユーザにより入力されたメディアを収納するための収納部１１に関する情報（収納部情報）を受け付けた場合には、ユーザにより入力されたメディアの収納部１１に関する情報（収納部情報）を予め記憶部９に記憶させて設定する。これにより、ユーザが実際に所有する収納部１１の情報（段数、幅）に対応させて、メディアの配置位置の計算を行うことができる。
【００６５】
また、第１実施形態では、上記のように、制御部７が、収納部情報変更受付手段により、メディアの収納部１１に関する情報（収納部情報）のユーザによる変更を受け付けた場合には、ユーザにより変更されたメディアの収納部１１に関する情報（収納部情報）を記憶部９に記憶させる。これにより、予め記憶させていたメディアの収納部１１に関する情報（名称、段数および幅など）を変更することができるので、たとえば、ユーザが間違った収納部情報を記憶させていたとしても、正しい収納部情報に変更することができる。
【００６６】
また、第１実施形態では、上記のように、制御部７により決定されたメディアの配置位置を表示するための表示部２をさらに備えることによって、メディアをどのように配置すればよいのかを視覚的に確認することができるので、容易に、メディアの収納を行うことができる。
【００６７】
また、第１実施形態では、上記のように、制御部７が、検索受付手段により、ユーザからメディアの配置位置の検索を受け付けた場合には、メディアに関するデータ（メディア情報）およびメディアの配置位置に関する情報（収納場所情報）に基づいてメディアの配置位置の検索を行い、その後、検索結果としてメディアを規定する名称と、メディアの配置位置とを表示部２に表示させる。これにより、検索結果から所望のメディアの配置位置を視覚的に確認することができるので、容易に、所望のメディアを探し出すことができる。
【００６８】
（第２実施形態）
次に、図２６および図２７を参照して、本発明の第２実施形態によるメディア収納管理システム２００では、ＰＣ本体１に本発明を適用した上記した第１実施形態とは異なり、ＤＶＤプレーヤ２０１に本発明を適用した例について説明する。なお、ＤＶＤプレーヤ２０１は、本発明の「メディア収納管理装置」および「ディスク再生装置」の一例である。
【００６９】
本発明の第２実施形態によるメディア収納管理システム２００は、図２６に示すように、赤外線通信部２０１ａを含む、ＤＶＤプレーヤ２０１と、ＬＣＤ（Ｌｉｑｕｉｄ  Ｃｒｙｓｔａｌ  Ｄｉｓｐｌａｙ）パネルなどの表示部２を含む、液晶テレビジョン３と、ユーザによりＤＶＤプレーヤ２０１を操作可能な赤外線通信部２０２ａを含む、リモコン２０２とを備えている。
【００７０】
また、ＤＶＤプレーヤ２０１は、図２７に示すように、ＤＶＤプレーヤ２０１全体の制御を行うための制御部７と、ＤＶＤなどのメディア（ディスクメディア）のデータを読み取るためのメディア読取部２０３と、メディア収納管理に必要なメディア情報、収納部情報および収納場所情報などの管理データ（情報）を記憶させておくための記憶部９と、ＤＶＤプレーヤ２０１の外部との通信を行うための通信部１０とを備えている。
【００７１】
また、制御部７は、メディア読取部２０３、液晶テレビジョン３、リモコン２０２、記憶部９、および、通信部１０と、それぞれ、電気的に接続されるとともに制御信号が送受信されるように構成されている。なお、通信部１０は、ＬＡＮを介してインターネットなどに接続されており、メディア情報が蓄積されているメディア情報管理データベース６と通信可能に構成されている。また、第２実施形態では、制御部７は、メディア読取部２０３により読み取られたメディアに関するデータをメディア情報管理データベース６から通信部１０を介して自動的に取得可能に構成されている。具体的には、第２実施形態では、制御部７は、メディア情報管理データベース６からメディア読取部２０３により読み取られたＤＶＤなどの映像データ（情報）に対応する作品名、ジャンル、サブジャンル、タイトルおよび再生時間などのメディアに関するデータを取得して、記憶部９にメディア情報として記憶させるように構成されている。
【００７２】
なお、第２実施形態のその他の構成は、上記した第１実施形態と同様である。また、第２実施形態の制御動作は、上記した第１実施形態と同様である。
【００７３】
また、第２実施形態の効果は、上記した第１実施形態と同様である。
【００７４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７５】
たとえば、上記第１および第２実施形態では、メディア収納管理装置の一例として、ＰＣ本体およびＤＶＤプレーヤに本発明を適用する例を示したが、本発明はこれに限らず、メディアのデータを読み取るためのメディア読取部を備えていれば、ＣＤプレーヤやＢｌｕ−ｌａｙプレーヤなどにも適用可能である。
【００７６】
また、上記第１および第２実施形態では、メディアを第１カテゴリ（ジャンル）、第２カテゴリ（アーティスト）および第３カテゴリ（サブジャンル）の３種類のカテゴリにより所定のグループに分類する例を示したが、本発明はこれに限らず、４種類以上のカテゴリにより所定のグループに分類してもよい。
【００７７】
また、上記第１および第２実施形態では、メディアに関するデータ（メディア情報）を外部のデータベースから取得可能に構成する例を示したが、本発明はこれに限らず、ＰＣ本体内部にデータベースを設けて、ＰＣ本体内部のデータベースからメディアに関するデータ（メディア情報）を取得可能に構成してもよい。
【００７８】
また、上記第１および第２実施形態では、表示部の一例として、液晶テレビジョンに設けられる液晶パネルを示したが、本発明はこれに限らず、情報を表示することが可能であれば、液晶パネル以外のプラズマパネルおよび有機ＥＬパネルなどの表示部でもよい。
【符号の説明】
【００７９】
１  ＰＣ本体（メディア収納管理装置）
２  表示部
２ｂ  確認画面（収納部情報受付手段）
２ｂ  確認画面（収納部情報変更受付手段）
２ｄ  入力画面（メディアデータ受付手段）
２ｋ  検索画面（検索受付手段）
６  データベース
７  制御部
８  ＣＤ／ＤＶＤドライブ（メディア読取部）
９  記憶部
１１  収納部
１００、２００  メディア収納管理システム
２０１  ＤＶＤプレーヤ（メディア収納管理装置、ディスク再生装置）
２０３  メディア読取部
【図１】
2011003244.tif 000003
【図２】
2011003244.tif 000004
【図３】
2011003244.tif 000005
【図４】
2011003244.tif 000006
【図５】
2011003244.tif 000007
【図６】
2011003244.tif 000008
【図７】
2011003244.tif 000009
【図８】
2011003244.tif 000010
【図９】
2011003244.tif 000011
【図１０】
2011003244.tif 000012
【図１１】
2011003244.tif 000013
【図１２】
2011003244.tif 000014
【図１３】
2011003244.tif 000015
【図１４】
2011003244.tif 000016
【図１５】
2011003244.tif 000017
【図１６】
2011003244.tif 000018
【図１７】
2011003244.tif 000019
【図１８】
2011003244.tif 000020
【図１９】
2011003244.tif 000021
【図２０】
2011003244.tif 000022
【図２１】
2011003244.tif 000023
【図２２】
2011003244.tif 000024
【図２３】
2011003244.tif 000025
【図２４】
2011003244.tif 000026
【図２５】
2011003244.tif 000027
【図２６】
2011003244.tif 000028
【図２７】
2011003244.tif 000029